(57)【要約】【課題】敷居の溝の内部に異物が混入した場合であっても、ドアのロックを確実に防止することができるエレベーターのドア装置を提供する。【解決手段】ドア装置は、エレベーターのドア１と、ドア１の下方に配置されたドアシュー２と、ドアシュー２をドア１の下端部に取り付けるための取付装置３とを備える。取付装置３は、取付金６、ストッパー９、押しばね８を備える。取付金６は、ドアシュー２が一体的に取り付けられ、ドア１に対して上下方向に変位可能に構成される。ストッパー９は、ドア１に設けられ、取付金６の下方への移動を所定位置までに制限する。押しばね８は、取付金６を所定の力で常時下方に押し付ける。【選択図】図２
2013241233.tif 000002
【特許請求の範囲】
【請求項１】
エレベーターのドアと、
前記ドアの下方に配置されたドアシューと、
前記ドアシューを前記ドアの下端部に取り付けるための取付装置と、
を備え、
前記取付装置は、
前記ドアシューが一体的に取り付けられ、前記ドアに対して上下方向に変位可能な取付体と、
前記ドアに設けられ、前記取付体の下方への移動を所定位置までに制限するストッパーと、
前記取付体を所定の力で常時下方に押し付ける弾性体と、
を備えたエレベーターのドア装置。
【請求項２】
前記取付体は、一側面が、前記ドアに対向するように配置され、上部両端に、側方に突出する突出部が設けられ、
前記ストッパーは、前記ドアに設けられた一対の部材からなり、
前記部材の一方は、側面が、前記取付体の一方の端面と、前記取付体の他側面のうち、一方の端面側の縁部との双方に、僅かな間隙を有して対向するように配置され、一部の上面が、一方の前記突出部の下面に対向するように配置され、
前記部材の他方は、側面が、前記取付体の他方の端面と、前記取付体の他側面のうち、他方の端面側の縁部との双方に、僅かな間隙を有して対向するように配置され、一部の上面が、他方の前記突出部の下面に対向するように配置された
請求項１に記載のエレベーターのドア装置。
【請求項３】
前記取付装置は、
前記ドアに固定され、前記取付体の上方に配置された固定体と、
を備え、
前記弾性体は、押しばねからなり、前記固定体の下面と前記取付体の上面との間に配置され、前記取付体を常時下方に押し付ける請求項１又は請求項２に記載のエレベーターのドア装置。
【発明の詳細な説明】
【技術分野】
【０００１】
この発明は、エレベーターのドア装置に関するものである。
【背景技術】
【０００２】
特許文献１に、エレベーターのドア装置の従来技術が開示されている。
エレベーターのドア装置には、ドアの開閉動作を案内するため、ドアの下端部にドアシューが設けられている。特許文献１に記載されたドア装置では、ドアシューを、所定の弾性部材を介して、ドアの下端部に固定している。
【先行技術文献】
【特許文献】
【０００３】
【特許文献１】実開昭５４−２２７６４号公報
【発明の概要】
【発明が解決しようとする課題】
【０００４】
ドアシューは、ドアの下方に配置された敷居の溝の内部に配置され、ドアの開閉時に、敷居の溝の内部を移動する。特許文献１に記載されたものを含め、従来のドア装置では、敷居の溝に大きな異物（例えば、石等）があると、ドアの開閉動作時に、異物が敷居とドアシューとの間に挟まれ、ドアがロックしてしまうことがあった。
特に、敷居の溝の底面を形成する部分に、異物を落下させるための孔が形成されていない場合は、異物が溝から排出されることがなく、ドアロックが生じ易いといった問題があった。
【０００５】
この発明は、上述のような課題を解決するためになされたもので、その目的は、敷居の溝の内部に異物が混入した場合であっても、ドアのロックを確実に防止することができるエレベーターのドア装置を提供することである。
【課題を解決するための手段】
【０００６】
この発明に係るエレベーターのドア装置は、エレベーターのドアと、ドアの下方に配置されたドアシューと、ドアシューをドアの下端部に取り付けるための取付装置と、を備え、取付装置は、ドアシューが一体的に取り付けられ、ドアに対して上下方向に変位可能な取付体と、ドアに設けられ、取付体の下方への移動を所定位置までに制限するストッパーと、取付体を所定の力で常時下方に押し付ける弾性体と、を備えたものである。
【発明の効果】
【０００７】
この発明に係るエレベーターのドア装置であれば、敷居の溝の内部に異物が混入した場合であっても、ドアがロックしてしまうことを確実に防止することができる。
【図面の簡単な説明】
【０００８】
【図１】この発明の実施の形態１におけるエレベーターのドア装置の要部を示す斜視図である。
【図２】この発明の実施の形態１におけるエレベーターのドア装置の要部を示す正面図である。
【図３】この発明の実施の形態１におけるエレベーターのドア装置の機能を説明するための図である。
【発明を実施するための形態】
【０００９】
添付の図面を参照して、本発明を詳細に説明する。各図において、同一又は相当する部分には、同一の符号を付している。重複する説明については、適宜簡略化或いは省略している。
【００１０】
実施の形態１．
図１はこの発明の実施の形態１におけるエレベーターのドア装置の要部を示す斜視図である。図２はこの発明の実施の形態１におけるエレベーターのドア装置の要部を示す正面図である。
【００１１】
図１において、１はエレベーターの出入口を開閉するドアである。エレベーターには、乗場ドア及びかごドアが備えられる。ドア１は、乗場ドア及びかごドアの何れであっても構わない。ドア１が乗場ドアであれば、ドア１は乗場出入口を開閉する。ドア１がかごドアであれば、ドア１はかご出入口を開閉する。
【００１２】
２はドア１の下方に配置されたドアシューである。ドアシュー２は、取付装置３によって、ドア１の下端部に取り付けられる。４はドア１の下方に配置された敷居である。ドア１が乗場ドアであれば、敷居４は、乗場の固定体に設けられる。ドア１がかごドアであれば、敷居４は、エレベーターのかごに設けられる。敷居４の上面には、ドア１の開閉方向に沿って、一直線状の溝４ａが形成される。ドアシュー２は、少なくともその下端部が、溝４ａの内部に配置される。即ち、ドア１が開閉する時の下端部の移動は、ドアシュー２が溝４ａの内部を移動することによって案内される。
【００１３】
取付装置３は、取付板５、取付金（取付体）６、固定板（固定体）７、押しばね（圧縮ばね）８、ストッパー９、ガイド１０を備える。
取付板５は、例えば、ドアシュー２よりも狭い幅の板状部材からなる。ドアシュー２は、取付板５の下端部に設けられる。即ち、取付板５は、ドアシュー２の上面から直立するように、ドアシュー２に固定される。
【００１４】
取付金６は、例えば、ブロック状の部材からなる。取付金６は、一側面が、ドア１の背面に対向するように配置される。取付金６の他側面に、ボルト１１を介して、取付板５の上端部が固定される。即ち、取付金６には、取付板５を介して、ドアシュー２が一体的に取り付けられる。取付金６の上部両端に、突出部６ａ及び６ｂが設けられる。突出部６ａは、取付金６の一方の端面の上部から、側方に突出するように配置される。突出部６ｂは、取付金６の他方の端面の上部から、側方（突出部６ａの突出方向とは逆方向）に突出するように配置される。
【００１５】
固定板７は、例えば、取付装置３の最上位置に配置された板状部材からなる。固定板７は、一縁部が、ドア１の背面に固定される。固定板７は、ドア１の背面から突出するように、水平に配置される。固定板７は、下面が取付金６の上面と対向するように、取付金６の上方に配置される。
【００１６】
押しばね８は、取付金６を所定の力で常時下方に押し付けるための弾性体からなる。押しばね８は、伸縮方向が上下を向くように、取付金６の上面と固定板７の下面との間に配置される。
【００１７】
ストッパー９は、取付金６の変位を所定の範囲に拘束するためのものである。ストッパー９は、例えば、一対のＬ字状を呈する部材からなる。
上記Ｌ字部材の一方は、ドア１の背面から突出するように、ドア１に設けられる。Ｌ字部材の一方は、内側の側面が、取付金６の一方の端面と、取付金６の他側面のうち、上記一方の端面側の縁部との双方に、僅かな間隙を有して対向するように配置される。また、Ｌ字部材の一方は、突出部６ａの下方に配置され、一部の上面が、突出部６ａの下面に対向するように配置される。
【００１８】
上記（ストッパー９の）Ｌ字部材の他方は、ドア１の背面から突出するように、ドア１に設けられる。Ｌ字部材の他方は、内側の側面が、取付金６の他方の端面と、取付金６の他側面のうち、上記他方の端面側の縁部との双方に、僅かな間隙を有して対向するように配置される。また、Ｌ字部材の他方は、突出部６ｂの下方に配置され、一部の上面が、突出部６ｂの下面に対向するように配置される。
【００１９】
取付金６は、ドア１及びストッパー９により、水平方向の変位が、極僅かな量に制限される。一方、取付金６は、ドア１に対して上下方向に変位可能に構成される。取付金６の下方への変位（移動）は、突出部６ａ及び６ｂの下面がストッパー９の上面に接触する所定の位置（高さ）までに制限される。取付金６の上方への変位（移動）は、押しばね８が完全に圧縮される所定の位置（高さ）までに制限される。
【００２０】
ガイド１０は、取付金６のドア１に対する上下方向の変位を案内するためのものである。ガイド１０は、例えば、円柱状の部材からなる。ガイド１０は、一端部が、ドア１の背面に固定される。ガイド１０は、ドア１の背面から突出するように、水平に配置される。取付金６には、その中央部に、上下方向に長手を有する長孔６ｃが形成されている。ガイド１０は、ドア１からの突出部分が、長孔６ｃの内部に配置される。ガイド１０は、取付金６がドア１に対して上方向に変位することにより、その一部が、長孔６ｃの下端部に配置される。ガイド１０は、取付金６がドア１に対して下方向に変位することにより、その一部が、長孔６ｃの上端部に配置される。
【００２１】
上記構成を有するドア装置では、通常時は、取付金６が押しばね８によって押されることにより、取付金６やドアシュー２が、最下位置に配置される。かかる位置では、突出部６ａ及び６ｂが、ストッパー９に上方から接触する。
【００２２】
図２の符号１２は、石等の異物１２を示している。以下に、図３も参照し、敷居４の溝４ａの内部に異物１２が入り込んでしまった時の動作について説明する。図３はこの発明の実施の形態１におけるエレベーターのドア装置の機能を説明するための図である。
【００２３】
溝４ａの内部に異物１２が存在する状態で戸閉動作（或いは、戸開動作）が開始されると、ドア１が、図１に示すＢ方向に移動する。ドアシュー２が異物１２の位置に到達すると、ドアシュー２が異物１２に乗り上げる。ドアシュー２が異物１２から直接力を受けることにより、ドアシュー２、取付板５、取付金６が、押しばね８の押付力に抗して上方に移動する。かかる状態からドア１が更にスライドすると、ドアシュー２が異物１２を乗り越える。ドアシュー２は、異物１２の上方を完全に通過すると、押しばね８の押付力によって下方に移動し、通常時の状態に戻る。
【００２４】
上記構成を有するエレベーターのドア装置であれば。敷居４の溝４ａの内部に異物１２が混入した場合であっても、ドア１がロックしてしまうことを確実に防止することができる。特に、溝４ａの底面を形成する部分に孔が形成されていない敷居４が備えられている場合は、有効な手段となり得る。
【００２５】
また、上記構成のドア装置であれば、ドア１及びストッパー９によって、取付金６を強固に支持することができる。乗場やかご内からドア１が押されるように力が作用（即ち、ドア１に対して、図１の矢印Ａに示す方向に力が作用）しても、取付装置３が変形したり、ドアシュー２が敷居４の溝４ａから外れたりする恐れはない。
【符号の説明】
【００２６】
１  ドア
２  ドアシュー
３  取付装置
４  敷居
４ａ  溝
５  取付板
６  取付金
６ａ、６ｂ  突出部
６ｃ  長孔
７  固定板
８  押しばね
９  ストッパー
１０  ガイド
１１  ボルト
１２  異物
【図１】
2013241233.tif 000003
【図２】
2013241233.tif 000004
【図３】
2013241233.tif 000005